(57)【要約】【課題】フリック操作により、ユーザの所望する画像を容易に表示させることが可能な操作部１０２を提供する。【解決手段】ユーザにより、前記表示リスト画像８０５のリスト項目のマーク項目８０５ａが押下されると、当該押下されたマーク項目８０５ａにマーク画像７０５を付与するマーキング付与手段４０７と、ユーザによるフリック操作が検知されると、前記リスト画像７００の全体のうち、前記マーク画像７０５が存在するか否かを判定するマーキング判定手段４０４と、前記マーク画像７０５が存在する場合に、前記表示リスト画像８０５の表示範囲を、当該マーク画像７０５が付与されたマーク項目７０４ａのリスト項目７０４までスクロールするスクロール表示手段４０６とを備える操作部１０２を提供する。【選択図】図４
2013114338.tif 000002
【特許請求の範囲】
【請求項１】
所定の画像の全体のうち、所定の表示範囲で指定された表示画像を表示するタッチパネル上でユーザのフリック操作を検知すると、当該フリック操作に対応する移動量で前記表示範囲をスクロールして新たな表示画像を表示する操作装置において、
ユーザにより、前記表示画像内の特定の位置が押下されると、当該押下された特定の位置にマーク画像を付与するマーキング付与手段と、
ユーザによるフリック操作が検知されると、前記画像の全体のうち、前記マーク画像が付与された特定の位置が存在するか否かを判定するマーキング判定手段と、
前記マーク画像が付与された特定の位置が存在する場合に、前記表示範囲を、当該マーク画像が付与された特定の位置までスクロールして、当該特定の位置を表示するスクロール表示手段と
を備えることを特徴とする操作装置。
【請求項２】
前記マーキング付与手段は、前記表示画像内の特定の位置が押下されると、前記マーク画像が付与された特定の位置と、当該マーク画像が付与された順番とをマーキングテーブルに関連付けて記憶させ、
前記マーキング判定手段は、前記マーキングテーブルの特定の位置のうち、前記順番の順位が高く、且つ、当該マーキングテーブルから未だに表示していない特定の位置が存在する場合に、前記マーク画像が付与された特定の位置が存在すると判定し、
前記スクロール表示手段は、前記順位が高い順番に対応して、前記表示範囲を、前記マーク画像が付与された特定の位置までスクロールする
請求項１に記載の操作装置。
【請求項３】
前記スクロール表示手段は、前記マーク画像が付与された特定の位置が存在しない場合に、前記フリック操作に対応する移動量で前記表示範囲をスクロールする
請求項１又は２に記載の操作装置。
【請求項４】
前記所定の画像は、リスト画像であり、
前記特定の位置は、リスト画像を構成するリスト項目のマーク項目である
請求項１−３のいずれか一項に記載の操作装置。
【請求項５】
請求項１−４のいずれか一項に記載の操作装置を備えた画像形成装置。
【請求項６】
所定の画像の全体のうち、所定の表示範囲で指定された表示画像を表示するタッチパネル上でユーザのフリック操作を検知すると、当該フリック操作に対応する移動量で前記表示範囲をスクロールして新たな表示画像を表示する操作装置の操作方法において、
ユーザにより、前記表示画像内の特定の位置が押下されると、当該押下された特定の位置にマーク画像を付与するマーキング付与ステップと、
ユーザによるフリック操作が検知されると、前記画像の全体のうち、前記マーク画像が付与された特定の位置が存在するか否かを判定するマーキング判定ステップと、
前記マーク画像が付与された特定の位置が存在する場合に、前記表示範囲を、当該マーク画像が付与された特定の位置までスクロールして、当該特定の位置を表示するスクロール表示ステップと
を備えることを特徴とする操作方法。
【請求項７】
請求項６に記載の操作方法をコンピュータに実行させるためのプログラム。
【請求項８】
請求項７に記載のプログラムを記憶したコンピュータに読み取り可能な記憶媒体。
【発明の詳細な説明】
【技術分野】
【０００１】
本発明は、操作装置及び操作方法に関し、詳しくは、フリック操作により、ユーザの所望する画像を容易に表示させることが可能な操作装置及び操作方法に関する。
【背景技術】
【０００２】
画像再生装置において、画像を拡大等したことにより、画像全体の一部領域を表示範囲として表示している状態で、操作部材やタッチパネル等の操作により表示範囲を移動させる方法が知られている。例えば、操作部材を押下した場合に、所定の移動幅で表示範囲を移動（スクロール）させて、全体画像に対する表示範囲を任意に変えることができる。
【０００３】
一方、画像全体のサイズに対してスクロール量を一定にすると、画像を拡大した場合にスクロール量が大きくなってしまう。そこで、従来技術として、拡大率に応じて拡大するほど、画像全体に対するスクロール幅を小さく変えて移動するという技術が存在する。
【０００４】
又、タッチパネル上で指をある程度の距離だけ素早く動かして、そのまま離すといった操作を検出したことに応じて、そのタッチで指示されたディスプレイ上の表示アイテムを、指を離した後も減速しながら移動させるといった機能も提供されている。
【０００５】
例えば、タッチパネル上の指の移動に追随して表示部に表示させたイメージをスクロールさせ、タッチパネルから指を離した時から、スクロール速度を徐々に減少させ、スクロールを停める技術が存在する。このような技術により、タッチパネル上に表示された表示アイテムを指ではじくように素早くなぞる操作（以下、フリックと称す）をすることにより、指示したアイテムをなぞった方向にはじき飛ばすような操作感を実現可能にしている。
【０００６】
しかしながら、上述した技術では、画像全体のサイズと比較して表示範囲のサイズが小さい場合には、画像全体のサイズにわたって表示範囲を移動させるために多くの操作回数が必要となる。
【０００７】
又、上述したように、表示範囲を移動するための１回の操作で表示範囲が移動する幅を、画像の拡大率に応じて変える技術では、当該拡大率が小さいほど移動幅を大きく、拡大率が大きいほど移動幅を小さくする。すると、この場合、画像全体に対する表示範囲が小さくなるほど、画像全体における所定の範囲から他の範囲へ表示範囲を移動するために必要な操作の回数が増加してしまうという問題がある。又、１回の操作での表示範囲の見た目の移動幅を固定した場合も、表示範囲を移動させるために必要な操作の回数が増加してしまうという問題がある。
【０００８】
このような課題を解決する発明として、特開２０１１−３４５１２号公報（特許文献１）には、画像全体の一部領域を表示部に表示する表示制御手段と、ユーザによる所定の操作を検知する検知手段と、前記検知手段による検知に応じて、前記表示部に表示された一部領域の表示範囲を移動させる表示範囲変更手段とを備えた表示制御装置が開示されている。前記表示制御装置は、前記画像全体に対する前記一部領域の表示範囲が小さくなるに従って、前記所定の操作における特定の操作量に対する前記一部領域の移動幅を大きくするように前記表示範囲変更手段を制御する制御手段を備える。これにより、画像全体に対する表示範囲をより小さくした場合であっても、表示範囲の移動に必要な操作回数の増加を抑えることが出来るとしている。
【先行技術文献】
【特許文献】
【０００９】
【特許文献１】特開２０１１−３４５１２号公報
【発明の概要】
【発明が解決しようとする課題】
【００１０】
しかしながら、前記特許文献１に記載の発明では、ユーザの操作（例えば、フリック操作）により、手軽で且つ容易に表示範囲を移動させることが可能であるものの、この表示範囲の移動量（幅）は、主として、ユーザによるフリック操作の操作速度に基づいて決定される。そのため、前記フリック操作により移動された表示範囲が、必ずしもユーザの所望する位置の表示範囲であるとは限らない。つまり、ユーザが、自己の所望するフリック操作の操作速度を実現するのは難しいため、ユーザは、最終的に多くのフリック操作を行なって、自己の所望する表示範囲を表示させている実態がある。従って、前記特許文献１に記載の発明では、前記表示範囲が変更出来たとしても、ユーザの所望する表示範囲を表示させるために、多くの操作回数を要するという問題がある。
【００１１】
そこで、本発明は、前記問題を解決するためになされたものであり、フリック操作により、ユーザの所望する画像を容易に表示させることが可能な操作装置及び操作方法を提供することを目的とする。
【課題を解決するための手段】
【００１２】
上述した課題を解決し、目的を達成するために、本発明に係る操作装置は、所定の画像の全体のうち、所定の表示範囲で指定された表示画像を表示するタッチパネル上でユーザのフリック操作を検知すると、当該フリック操作に対応する移動量で前記表示範囲をスクロールして新たな表示画像を表示する操作装置を前提とし、以下の構成を採用する。
【００１３】
前記操作装置は、ユーザにより、前記表示画像内の特定の位置が押下されると、当該押下された特定の位置にマーク画像を付与するマーキング付与手段と、ユーザによるフリック操作が検知されると、前記画像の全体のうち、前記マーク画像が付与された特定の位置が存在するか否かを判定するマーキング判定手段とを備える。又、前記操作装置は、前記マーク画像が付与された特定の位置が存在する場合に、前記表示範囲を、当該マーク画像が付与された特定の位置までスクロールして、当該特定の位置を表示するスクロール表示手段を備える。
【００１４】
これにより、ユーザが、前記画像の全体のうち、特定の位置に前記マーク画像を予め付与しておけば、一回のフリック操作により、当該マーク画像が付与された特定の位置を容易にスクロール表示させることが可能となる。そのため、ユーザによるフリック操作回数を減らすとともに、所望する特定の位置を容易に見つけ出すことが出来て、検索性能を向上させることが可能となる。
【００１５】
又、前記マーキング付与手段は、前記表示画像内の特定の位置が押下されると、前記マーク画像が付与された特定の位置と、当該マーク画像が付与された順番とをマーキングテーブルに関連付けて記憶させる。又、前記マーキング判定手段は、前記マーキングテーブルの特定の位置のうち、前記順番の順位が高く、且つ、当該マーキングテーブルから未だに表示していない特定の位置が存在する場合に、前記マーク画像が付与された特定の位置が存在すると判定する。そして、前記スクロール表示手段は、前記順位が高い順番に対応して、前記表示範囲を、前記マーク画像が付与された特定の位置までスクロールするよう構成することが出来る。
【００１６】
又、前記スクロール表示手段は、前記マーク画像が付与された特定の位置が存在しない場合に、前記フリック操作に対応する移動量で前記表示範囲をスクロールするよう構成することが出来る。
【００１７】
又、前記所定の画像は、リスト画像であり、前記特定の位置は、リスト画像を構成するリスト項目のマーク項目であるよう構成することが出来る。
【００１８】
又、前記操作装置は、画像形成装置に適用することが出来る。
【００１９】
尚、本発明は、所定の画像の全体のうち、所定の表示範囲で指定された表示画像を表示するタッチパネル上でユーザのフリック操作を検知すると、当該フリック操作に対応する移動量で前記表示範囲をスクロールして新たな表示画像を表示する操作装置の操作方法として提供することが出来る。
【００２０】
即ち、前記操作方法は、ユーザにより、前記表示画像内の特定の位置が押下されると、当該押下された特定の位置にマーク画像を付与するマーキング付与ステップと、ユーザによるフリック操作が検知されると、前記画像の全体のうち、前記マーク画像が付与された特定の位置が存在するか否かを判定するマーキング判定ステップとを備える。又、前記マーク画像が付与された特定の位置が存在する場合に、前記表示範囲を、当該マーク画像が付与された特定の位置までスクロールして、当該特定の位置を表示するスクロール表示ステップを備える。このような構成であっても、上述と同様の効果を得ることが可能となる。
【００２１】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２２】
本発明の操作装置及び操作方法によれば、フリック操作により、ユーザの所望する画像を容易に表示させることが可能となる。
【図面の簡単な説明】
【００２３】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すための第一のフローチャートである。
【図６】本発明の実施形態の実行手順を示すための第二のフローチャートである。
【図７】本発明の実施形態のリスト画像の一例を示す図である。
【図８】本発明の実施形態のタッチパネル上に表示されたファックスボックス画面の一例を示す第一の図（図８（Ａ））と、本発明の実施形態のタッチパネル上に表示されたファックスボックス画面の一例を示す第二の図（図８（Ｂ））とである。
【図９】本発明の実施形態のマーキングテーブルの一例を示す図（図９（Ａ））と、本発明の実施形態のタッチパネル上に表示されたファックスボックス画面の一例を示す第三の図（図９（Ｂ））である。
【発明を実施するための形態】
【００２４】
以下に、添付図面を参照して、本発明の操作装置を備えた画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２５】
＜画像形成装置及び操作装置＞
以下に、本発明の実施形態に係る操作装置を備えた画像形成装置について説明する。
【００２６】
図１は、本発明の実施形態に係る画像形成装置の概略模式図である。但し、本発明に直接には関係しない各部の詳細は省略している。尚、本発明の画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２７】
先ず、ユーザが複合機１００を利用する場合、原稿Ｐを複合機１００の上面に備えられている原稿台１０１に載置し、コピー機能の設定を操作部１０２から入力する。当該操作部１０２には、複合機１００が提供するコピー機能に関連する操作画面（初期画面など）が表示され、コピー機能に関連する複数の設定項目キーが選択可能に表示されている。又、前記操作画面には、各機能毎に機能項目キーがタブ形式で選択可能に表示される。ユーザは、前記操作画面を介して、コピー機能に関する設定条件の入力を行う。
【００２８】
ユーザが、設定条件の入力を完了すると、操作部１０２に設けられたスタートキー２０５を押下して、複合機１００にコピー機能の処理を開始させる。
【００２９】
複合機１００がコピー機能の処理を開始すると、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、基本的な補正処理、画質処理、圧縮処理等を施され、前記原稿に対応する画像データが生成される。
【００３０】
尚、前記生成された画像データは、前記操作部１０２からの指示に応じて、前記撮像素子１０８に接続された通信部２０に送信される。前記通信部２０は、前記操作部１０２から入力された宛先（例えば、ファクシミリ番号、電子メールアドレスなど）と前記画像データとを用い、ネットワーク３０を介して前記宛先に前記画像データを送信する。
【００３１】
さて、前記画像データをトナー像として転写する駆動部が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３２】
前記帯電器１１１は、前記感光体ドラム１１０の表面を一様に帯電させる。前記露光ユニット１１２は、帯電された前記感光体ドラム１１０の表面に、前記画像データに基づいてレーザーを照射し、静電潜像を形成する。前記現像器１１３は、搬送された静電潜像に、トナーを付着させてトナー像を形成する。形成されたトナー像は、前記転写器１１４により、記録媒体（例えば、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３３】
前記シートは、前記複合機１００に備えられた複数の給紙カセット１１６から搬送される。搬送される時は、前記シートはピックアップローラ１１７により何れか１つの前記給紙カセット１１６から搬送路へ引き出される。前記各給紙カセット１１６には、それぞれ異なる紙種のシートが収容されており、前記出力条件に関する設定に基づいてシートが給紙される。
【００３４】
搬送路に引き出された前記シートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３５】
前記トナー像が転写されたシートが前記定着装置１２０に備えられた加熱ローラ１２１と加圧ローラ１２２の間を通過すると、前記トナー像に熱と圧力が印加されて、可視像がシートに定着される。前記加熱ローラ１２１の熱量は紙種に応じて最適に設定され、前記定着が適切に行われる。前記可視像がシートに定着されて画像形成が終了し、可視像が定着されたシートは、定着装置１２０を経て排紙トレイ１２３へ排紙され、積載、収容される。
【００３６】
前記手順により、複合機１００はコピー機能をユーザに提供する。
【００３７】
尚、所定の宛先に所定の画像データを送信する機能、例えば、ファクシミリ送信機能や電子メール送信機能は、上述した通信部２０によりユーザに提供される。
【００３８】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３９】
前記タッチパネル２０１には、設定条件を入力する機能と当該設定条件を表示する機能が兼ね備えられている。即ち、タッチパネル２０１上に表示された画面内の項目キーを押下することによって、押下された項目キーに対応する設定条件が入力される。
【００４０】
タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００４１】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４２】
次に、図３を用いて、複合機１００及び操作部１０２の制御系ハードウェアの構成を説明する。図３は、本発明に係る複合機１００及び操作部１０２の制御系ハードウェアの構成を示す図である。ただし、本発明に直接には関係しない各部の詳細は省略している。
【００４３】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、通信インターフェイス３０６を内部バス３０７によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と前記操作部１０２からのデータや指示を授受し、前記図１に示した各駆動部の動作を制御する。また、前記ＣＰＵ３０１は、前記操作部１０２から入力された宛先のデータに基づいて、前記通信インターフェイス３０６を介してネットワーク３０上の宛先の端末装置（例えば、ＰＣや複合機等）を特定し、所定のデータ（画像データ等）を送信したりする。前記駆動部以外の後述する各手段（図４に示す）についても、前記ＣＰＵ３０１がプログラムを実行することで当該各手段を実現する。
【００４４】
又、制御回路の内部バス３０７には、内部インターフェイス３０８も接続されており、当該内部インターフェイス３０８は、前記操作部１０２の制御回路等と複合機１００の制御回路とを接続する。
【００４５】
又、操作部１０２の制御回路には、ＣＰＵ３０９、ＲＯＭ３１０、ＲＡＭ３１１、ＬＣＤ３１２、操作キー３１３（２０３）、タッチパネル３１４（２０１）、内部インターフェイス３１５を内部バス３１６によって接続している。操作キー３１３やタッチパネル３１４をユーザが操作すると、ＣＰＵ３０９は、内部インターフェイス３１５を介して、当該操作に基づく命令信号を複合機１００の制御回路に送信する。又、ＣＰＵ３０９、ＲＯＭ３１０、ＲＡＭ３１１の機能も上記と同様であり、後述する各手段（図４に示す）についても、前記ＣＰＵ３０９がプログラムを実行することで当該各手段を実現する。前記ＲＯＭ３１０には、以下に説明する各手段を実現するプログラムやデータが記憶されている。
【００４６】
＜本発明の実施形態＞
次に、図４−図６を参照しながら、本発明の実施形態に係る構成及び実行手順について説明する。図４は、本発明の複合機及び操作部の機能ブロック図である。図５及び図６は、本発明の実行手順を示すためのフローチャートである。
【００４７】
まず、ユーザが、複合機１００の電源を投入すると、複合機１００及び操作部１０２が起動し、起動した操作部１０２の画面表示手段４０１が、所定の機能（例えば、コピー機能）の設定条件を入力するために予め設定された初期画面をタッチパネル２０１上に表示する（図５：Ｓ１０１）。
【００４８】
ここで、前記初期画面には、コピー機能の設定条件を入力するための設定項目キー以外に、他の機能に対応する画面を表示させるための複数のタブキーが表示される。前記タブキーは、例えば、ファクシミリ送受信機能により送受信された画像データを閲覧するための「ファックスボックス」キーなどが該当する。
【００４９】
ユーザは、前記初期画面を見ながら、前記「ファックスボックス」キーを押下すると（図５：Ｓ１０２ＹＥＳ）、前記タッチパネル２０１に対応する操作検知手段４０２が、当該「ファックスボックス」キーの押下を受け付けて、その旨を前記画面表示手段４０１に通知する。当該通知を受けた画面表示手段４０１は、リスト画像記憶手段４０３に予め記憶されたリスト画像を参照する。
【００５０】
前記リスト画像７００には、図７に示すように、前記画像データを識別するための複数のリスト項目７０１がリスト状に上下にわたって配置されている。
【００５１】
前記リスト項目７０１は、ユーザが所定のマーク画像を付与することが可能なマーク項目と、前記ファクシミリ送受信機能を受け付けた番号を示す受付番号と、日付と、ジョブ受付時間と、ジョブ種類と、名称と、宛先とから構成される。
【００５２】
前記リスト項目７０１は、前記複合機１００の通信部２０によりファクシミリ送受信機能が実行され、所定の画像データが送信又は受信される（ジョブが実行される）と、当該画像データに基づいて生成され、前記リスト画像７００の最下段に順次配置される。
【００５３】
さて、前記リスト画像７００を参照した画面表示手段４０１は、当該リスト画像７００の全体のうち、予め設定された所定の表示範囲で所定のリスト画像を表示リスト画像として指定（特定）する（図５：Ｓ１０３）。例えば、前記画面表示手段４０１が、図７に示すように、最上段のリスト項目から下方５つ目のリスト項目までの表示リスト画像７０２を指定する。この指定された表示リスト画像７０２が、後述するファックスボックス画面に表示されることになる。又、前記表示リスト画像が指定される場合には、一のリスト項目７０１の単位で指定される。
【００５４】
そして、前記画面表示手段４０１は、前記タッチパネル２０１上の初期画面から、前記指定した表示リスト画像７０２を含むファックスボックス画面に切り替え表示する（図５：Ｓ１０４）。
【００５５】
前記ファックスボックス画面８００には、図８（Ａ）に示すように、前記表示リスト画像８０１（７０２）が表示され、当該表示リスト画像８０１を構成する所定数（５つ）のリスト項目８０２と、前記複数のタブキー８０３とが押下可能に表示される。
【００５６】
ここで、ユーザは、前記ファックスボックス画面８００を見ながら、前記タッチパネル２０１の表示リスト画像８０１を指でタッチして、所定の方向（例えば、下方向）に所定の距離だけ所定の速度で素早く動かし、そのまま離す操作（フリック操作）を行なう。すると、前記操作検知手段４０２が、ユーザによるフリック操作を検知して（図５：Ｓ１０５ＹＥＳ）、その旨をマーキング判定手段４０４に通知する。当該通知を受けたマーキング判定手段４０４は、前記リスト画像７００の全体のうち、所定のマーク画像が付与されたマーク項目のリスト項目７０１が存在するか否かを判定する（図５：Ｓ１０６）。
【００５７】
具体的には、前記マーキング判定手段４０４が、マーキング記憶手段４０５に記憶されたマーキングテーブル（後述する）を参照して、当該マーキングテーブルに所定のリスト項目が記憶されているか否かを判定する。
【００５８】
前記判定の結果、前記リスト項目が記憶されてない場合に（図５：Ｓ１０６ＮＯ）、前記マーキング判定手段４０４は、前記マーク画像が付与された特定のマーク項目のリスト項目が存在しないと判定し、その旨を前記操作検知手段４０２に通知する。当該通知を受けた操作検知手段４０２は、先ほど検知したフリック操作に対応する移動量を算出する（図５：Ｓ１０７）。
【００５９】
具体的には、前記操作検知手段４０２が、前記フリック操作の速度（フリック速度）に、予め設定された移動時間（数十ｍｓｅｃ）を乗算した値を移動量として算出する。
【００６０】
ここで、前記フリック速度とは、ユーザのフリック操作による指の移動速度であり、例えば、当該指が接触した前記タッチパネル２０１上の画像の画素数（ｄｏｔ）を、当該指が前記タッチパネル２０１上に接触していた時間（ｍｓｅｃ）で除算した値（ｄｏｔ／ｍｓｅｃ）である。
【００６１】
そして、前記操作検知手段４０２は、前記算出した移動量と、前記フリック操作の移動方向（下方向）とをスクロール表示手段４０６に通知する。当該通知を受けたスクロール表示手段４０６は、前記リスト画像記憶手段４０３のリスト画像７００を参照し、図７に示すように、現時点で指定された表示リスト画像７０２（８０１）の表示範囲を、前記移動方向に前記移動量だけスクロールし、当該スクロールした場合の表示範囲で指定される表示リスト画像７０３を表示する（図５：Ｓ１０８）。
【００６２】
前記ファックスボックス画面８０４には、図８（Ｂ）に示すように、前記フリック操作の移動量でスクロールされた表示リスト画像８０５（７０３）がスクロール表示される。これにより、ユーザは、前記フリック操作により、未だに表示されていないリスト画像を所定の表示範囲内で表示させることが可能となる。
【００６３】
ここで、ユーザは、前記ファックスボックス画面８０４の表示リスト画像８０５を見ながら、当該表示リスト画像８０５の内のリスト項目（例えば、受付番号「１４」のリスト項目）の特定のマーク項目８０５ａを押下すると（図５：Ｓ１１０ＹＥＳ）、前記操作受付手段４０２が、当該特定のマーク項目８０５ａの押下を受け付けて、その旨をマーキング付与手段４０７に通知する。当該通知を受けたマーキング付与手段４０７は、前記リスト画像記憶手段４０３のリスト画像７００を参照し、当該参照したリスト画像７００のうち、前記押下されたリスト項目７０４（受付番号「１４」のリスト項目）のマーク項目７０４ａに、マークされたことを示すマーク画像７０５（「●」）を付与する（図６：Ｓ２０１）。これにより、ユーザによるリスト項目のマーキングがなされる。尚、前記リスト画像７００（テーブル画像）であれば、前記表示リスト画像８０５の内の特定のマーク項目８０５ａが、特定の位置に対応する。
【００６４】
次に、前記マーキング付与手段４０７は、前記マーキング記憶手段４０５のマーキングテーブルに、前記マーク画像７０５（「●」）が付与された特定のマーク項目７０４ａのリスト項目７０４と、当該マーク画像７０５が付与された順番（例えば、「１番」）とを関連付けて記憶させる（図６：Ｓ２０２）。
【００６５】
前記マーキングテーブル９００には、図９（Ａ）に示すように、前記マーク画像が付与された特定のマーク項目のリスト項目９０１（つまり、受付番号「１４」のリスト項目）と、当該マーク画像が付与された順番９０２（「１番」）とが関連付けて記憶される。
【００６６】
そして、前記マーキング付与手段４０７が、前記マーキングテーブル９００への記憶を完了すると、その旨を前記画面表示手段４０１に通知し、当該通知を受けた画面表示手段４０１は、前記表示リスト画像８０５の所定のリスト項目の特定のマーク項目８０５ａに前記マーク画像７０５（「●」）を表示して（図６：Ｓ２０３）、Ｓ１１０に移行する。これにより、ユーザは、特定のマーク項目７０４ａがマーキングされたことを認識することが可能となる。
【００６７】
さて、Ｓ１１０において、ユーザが、前記ファックスボックス画面８０４を見ながら、前記表示リスト画像８０５の所定のリスト項目を押下することなく（図５：Ｓ１１０ＮＯ）、再度、フリック操作を実行すると（図５：Ｓ１０５ＹＥＳ）、前記操作検知手段４０２が、当該フリック操作を検知して、その旨を前記マーキング判定手段４０４に通知する。当該通知を受けたマーキング判定手段４０４は、前記マーキングテーブル９００を参照して、当該マーキングテーブル９００に所定のリスト項目９０１が記憶されているか否かを判定する（図５：Ｓ１０６）。
【００６８】
ここで、前記マーキングテーブル９００には、所定のリスト項目９０１が記憶されているため（図５：Ｓ１０６ＹＥＳ）、前記マーキング判定手段４０４は、前記マーク画像７０５が付与された特定のマーク項目７０４ａのリスト項目７０４が存在すると判定する。そして、前記マーキング判定手段４０４は、前記マーキングテーブル９００に記憶されたリスト項目９０１のうち、前記順番９０２の順位が高く、且つ、当該マーキングテーブル９００から未だに取得していないリスト項目９０１が存在するか否かを判定する（図６：Ｓ２０４）。
【００６９】
前記判定の結果、前記マーキングテーブル９００のリスト項目９０１のうち、前記順番９０２の順位が高く、且つ、当該マーキングテーブル９００から未だに取得していないリスト項目９０１は、図９に示すように、順番９０２が「１番」で受付番号「１４」のリスト項目９０１（つまり、先ほど記憶されたリスト項目）となる。そのため、前記マーキング判定手段４０４は、前記順番９０２の順位が高く、且つ、当該マーキングテーブル９００から未だに取得していないリスト項目９０１が存在すると判定し（図６：Ｓ２０４ＹＥＳ）、前記受付番号「１４」のリスト項目９０１を取得して（図６：Ｓ２０５）、その旨を前記スクロール表示手段４０６に通知する。当該通知を受けたスクロール表示手段４０６は、Ｓ１０８に移行して、前記リスト画像記憶手段４０３のリスト画像７００を参照し、図７に示すように、現時点で指定された表示リスト画像７０３の表示範囲を、前記取得した特定のマーク項目７０４ａを含むリスト項目７０４までスクロールして、当該スクロールした場合の表示範囲で指定される表示リスト画像７０６、つまり、特定のマーク項目７０４ａを含むリスト項目７０４を最上段とし、下方５つめのリスト項目までの表示リスト画像７０６を表示する（図５：Ｓ１０８）。
【００７０】
前記ファックスボックス画面９０３には、図９（Ｂ）に示すように、前記マーク画像７０５の付与された所定のリスト項目９０４（７０４）（受付番号「１４」のリスト項目）を最上段に配置した表示リスト画像９０５（７０６）が表示される。これにより、ユーザは、一回のフリック操作により、自己が予めマーキングしたリスト項目９０４を容易に表示させることが可能となる。
【００７１】
特に、前記リスト画像７００を構成するリスト項目７０１は、通常、数千以上の数に及ぶため、例えば、ユーザが、上述のように所望のリスト項目９０４のみを確認したい場合に、従来技術では、一回のフリック操作では、到底、当該リスト項目９０４を探し出すことは出来ず、複数回のフリック操作により、漸く、当該リスト項目９０４を見つけ出すことになる。つまり、所望のリスト項目９０４を探し出すために、非常に手間と時間が掛かる。
【００７２】
本発明では、所望のリスト項目９０４に前記マーク画像７０５を予め付与さえしておけば、一回のフリック操作で、当該マーク画像７０５が付与された所望のリスト項目９０４を簡単にスクロール表示させることが可能となるため、前記手間と時間とを削減することが可能となる。
【００７３】
尚、前記スクロール表示手段４０６が、前記マーク画像７０５を含む表示リスト画像９０５をスクロール表示させる場合には、ユーザのフリック操作の移動方向とは無関係にスクロール表示させることになる。
【００７４】
ところで、前記マーキングテーブル９００のリスト項目９０１のうち、前記順番９０２の順位が高く、且つ、当該マーキングテーブル９００から未だに取得していないリスト項目９０１が存在しない場合は、以下のようになる。
【００７５】
例えば、ユーザが、図９（Ｂ）に示すように、一回のフリック操作で、所望のリスト項目９０４（受付番号「１４」のリスト項目）を含む表示リスト画像９０５をスクロール表示させたにも関わらず、再度、フリック操作をした場合（図５：Ｓ１０５ＹＥＳ）、前記マーキング判定手段４０４が、前記マーキングテーブル９００に所定のリスト項目９０１が記憶されていると判定し（図５：Ｓ１０６ＹＥＳ）、当該マーキングテーブル９００に記憶されたリスト項目９０１のうち、前記順番９０２の順位が高く、且つ、当該マーキングテーブル９００から未だに取得していないリスト項目９０１が存在するか否かを判定する（図６：Ｓ２０４）。
【００７６】
ここで、前記マーキングテーブル９００には、前記受付番号「１４」のリスト項目９０１しか記憶されておらず、当該リスト項目９０１は既に一度取得されている。そのため、前記マーキング判定手段４０４は、前記マーキングテーブル９００に、前記順番９０２の順位が高く、且つ、当該マーキングテーブル９００から未だに取得していないリスト項目９０１は存在しないと判定する（図６：Ｓ２０４ＮＯ）。
【００７７】
そして、前記マーキング判定手段４０４は、その旨を前記操作検知手段４０２に通知し、当該通知を受けた操作検知手段４０２は、Ｓ１０７に移行して、先ほど検知したフリック操作に対応する移動量を算出する（図５：Ｓ１０７）。
【００７８】
次に、前記スクロール表示手段４０６は、前記操作検知手段４０２から前記移動量と前記フリックの移動方向とを受けて、前記リスト画像７００を参照し、現時点で表示されている表示リスト画像９０５の表示範囲を、前記フリック操作の移動方向に前記移動量だけスクロールして、当該スクロールした場合の表示範囲が指定する表示リスト画像を表示する（図５：Ｓ１０８）。
【００７９】
これにより、ユーザが、所望のリスト項目７０４に前記マーク画像７０５を付与したとしても、前記フリック操作を繰り返し実行することで、当該マーク画像７０５が付与されたリスト項目以外のリスト項目を意図してスクロール表示させることが可能となる。
【００８０】
さて、ユーザが、前記ファックスボックス画面９０３を見ながら、前記表示リスト画像９０５のリスト項目のマーク項目を押下することなく（図５：Ｓ１０９ＮＯ）、所望のリスト項目９０４（例えば、受付番号など）を押下すると（図５：Ｓ１１０ＹＥＳ）、前記操作検知手段４０２が、当該リスト項目９０４の押下を検知して、その旨を前記画面表示手段４０１に通知する。当該通知を受けた画面表示手段４０１は、前記複合機１００に備えられた画像データ記憶手段４０８が記憶する画像データの中から、前記押下されたリスト項目９０４に対応する画像データを取得し、当該取得した画像データが反映された画像データ表示画面（図示せず）をタッチパネル２０１上に表示する（図５：Ｓ１１１）。これにより、ユーザは、閲覧を所望するリスト項目９０４の画像データを確認することが可能となる。
【００８１】
このように、本発明の操作部１０２は、ユーザにより、前記表示リスト画像８０５のリスト項目の特定のマーク項目８０５ａが押下されると、当該押下された特定のマーク項目８０５ａにマーク画像７０５を付与するマーキング付与手段４０７と、ユーザによるフリック操作が検知されると、前記リスト画像７００の全体のうち、前記マーク画像７０５が付与された特定のマーク項目７０４ａのリスト項目７０４が存在するか否かを判定するマーキング判定手段４０４とを備える。又、前記操作部１０２は、前記マーク画像７０５が付与された特定のマーク項目７０４ａのリスト項目７０４が存在する場合に、前記表示リスト画像８０５の表示範囲を、当該マーク画像７０５が付与された特定のマーク項目７０４ａのリスト項目７０４までスクロールして、当該特定のマーク項目７０４ａのリスト項目７０４を含む表示リスト画像７０６を表示するスクロール表示手段４０６を備える。
【００８２】
これにより、ユーザが、前記リスト画像７００の全体のうち、所定のリスト項目７０４の特定のマーク項目７０４ａに前記マーク画像７０５を予め付与しておけば、一回のフリック操作により、当該マーク画像７０５を含む特定のマーク項目７０４ａのリスト項目７０４を容易にスクロール表示させることが可能となる。そのため、ユーザによるフリック操作回数を減らすとともに、所望するリスト項目７０４を容易に見つけ出すことが出来て、検索性能を向上させることが可能となる。
【００８３】
尚、本発明の実施形態では、マーキングテーブル９００に一のリスト項目９０１と順番９０２のみが関連付けて記憶された場合について説明したが、当該マーキングテーブル９００に複数のリスト項目と順番がそれぞれ関連付けて記憶された場合であっても、同様である。
【００８４】
例えば、前記マーキングテーブル９００に、前記受付番号「１４」のリスト項目及び順番「１番」と、前記受付番号「８」のリスト項目及び順番「２番」とがそれぞれ関連付けて記憶されている場合は、以下のようになる。
【００８５】
前記マーキングテーブル９００のリスト項目９０１が前記マーキング判定手段４０４に取得されていない状態で、ユーザが、フリック操作を実行すると（図５：Ｓ１０５ＹＥＳ）、前記マーキング判定手段４０４が、前記マーク画像７０５が存在すると判定し（図５：Ｓ１０６ＹＥＳ）、前記マーキングテーブル９００に記憶されたリスト項目９０１のうち、前記順番９０２の順位が高く、且つ、当該マーキングテーブル９００から未だに取得していないリスト項目９０１が存在するか否かを判定する（図６：Ｓ２０４）
ここで、前記順番９０２の順位が高く、且つ、前記マーキングテーブル９００から未だに取得していないリスト項目９０１は、先ず、順番「１番」の受付番号「１４」のリスト項目に対応するから、前記マーキング判定手段４０４は、最初に、当該順番「１番」の受付番号「１４」のリスト項目を取得し（図６：Ｓ２０４ＹＥＳ→Ｓ２０５）、前記スクロール表示手段４０６は、現時点の表示範囲を、当該リスト項目を含む表示リスト画像までスクロールして、当該表示リスト画像を表示する（図５：Ｓ１０８）。
【００８６】
更に、ユーザが、フリック操作を実行すると（図５：Ｓ１０５ＹＥＳ）、上述のように、Ｓ２０４まで移行し、前記マーキング判定手段４０４が、前記順番９０２の順位が高く、且つ、前記マーキングテーブル９００から未だに取得していないリスト項目９０１として、次に、順番「２番」の受付番号「６」のリスト項目を取得し（図６：Ｓ２０４ＹＥＳ→Ｓ２０５）、前記スクロール表示手段４０６は、先ほどのスクロールした表示範囲を、更に、前記受付番号「６」のリスト項目を含む表示リスト画像までスクロールして、当該表示リスト画像を表示することになる（図５：Ｓ１０８）。
【００８７】
このように、ユーザが、複数のリスト項目のマーク項目にそれぞれ前記マーク画像を予め付与しておき、複数のフリック操作を連続して実行すれば、前記スクロール表示手段４０６は、前記マーク画像が付与された順番に対応して、当該マーク画像が付与されたリスト項目を含む表示リスト画像を順次スクロール表示する。
【００８８】
これにより、ユーザは、所望のリスト項目が複数存在する場合であっても、フリック操作を複数回実行するだけで、当該リスト項目を含む表示リスト画像のみを順次スクロール表示させ、所望のリスト項目のみを順次確認することが可能となる。
【００８９】
尚、前記表示リスト画像のスクロール表示は、上述したように、前記フリック操作の移動方向に関係無く実行されるため、上述した場合であれば、最初に受付番号「１番」のリスト項目よりも下方に位置する受付番号「１４」のリスト項目が表示され、次に当該受付番号「１４」のリスト項目よりも上方に位置する受付番号「６」のリスト項目が表示されることになる。
【００９０】
又、前記マーキングリスト９００に複数のリスト項目９０１と順番９０２とが関連付けて記憶されている場合であっても、前記マーキング判定手段４０４が、全てのリスト項目９０１を既に取得した際には（図６：Ｓ２０４ＮＯ）、通常のフリック操作によるスクロール表示に戻るため、ユーザに対する操作性を損なうことは無い。
【００９１】
又、前記マーキングテーブル９００に複数のリスト項目と順番とがそれぞれ関連付けて記憶された場合で、例えば、ユーザが、複数の指（２本の指）を前記タッチパネル２０１にタッチしながら、フリック操作した場合、前記マーキング判定手段４０４が、前記リスト項目を前記順番に対応して複数取得し、前記スクロール表示手段４０６が、前記表示範囲を、前記取得した各リスト項目をそれぞれ含む複数の表示リスト画像まで、複数の段階でスクロールし、最後に取得したリスト項目を含む表示リスト画像を表示するよう構成してもよい。これにより、ユーザによる複数のフリック操作に対応して、所望の表示リスト画像を一度に多段で表示させることが可能となる。
【００９２】
又、本発明の実施形態では、ユーザによるマーク画像の付与のみについて説明したが、当該マーク画像の消去については、例えば、以下のようになる。
【００９３】
即ち、ユーザが、前記ファックスボックス画面の表示リスト画像のリスト項目のうち、前記マーク画像が付与されたリスト項目のマーク項目を、再び押下すると、前記操作受付手段４０２が、当該マーク画像付与後のマーク項目の押下を受け付けて、その旨をマーキング付与手段４０７に通知する。当該通知を受けたマーキング付与手段４０７は、前記リスト画像７００のうち、前記押下されたリスト項目のマーク項目に付与されたマーク画像を消去する。そして、前記マーキング付与手段４０７は、前記マーキングテーブル９００のうち、前記消去されたマーク画像のリスト項目９０１と、当該リスト項目９０１に対応する順番９０２とを消去する。更に、前記画面表示手段４０１は、前記ファックスボックス画面の表示リスト画像のリスト項目のうち、消去されたリスト項目のマーク項目に表示されたマーク画像（つまり、前記押下されたマーク画像）を消去する。これにより、前記マーク画像の消去が完了する。
【００９４】
又、本発明の実施形態では、前記フリック操作によりスクロール表示される画像として、リスト画像を想定したが、当該リスト画像のみならず、文書画像、風景画像、写真画像などの通常の画像であっても採用することが出来る。つまり、前記画像のうち、所定の表示範囲で指定される表示画像で、ユーザにより、当該表示画像の特定の位置に前記マーク画像を付与することが出来れば（マーキング出来れば）、ユーザによるフリック操作により、前記マーキング判定手段４０４が、前記画像の全体のうち、前記マーク画像が付与された特定の位置が存在するか否かを判定し、前記スクロール表示手段４０６が、前記表示画像を指定する表示範囲を、当該マーク画像が付与された特定の位置までスクロールする。このように構成としても、上述した作用効果を奏することは、言うまでもない。尚、この場合は、前記特定の位置は、前記リスト画像７００であれば、特定のマーク項目となり、写真画像や絵画画像などであれば、特定の人物や建物となる。
【００９５】
又、本発明の実施形態では、前記操作検知手段４０２が、所定のリスト項目の押下と、前記フリック操作とを検知するよう構成したが、タッチパネル２０１上での他の操作について検知するよう構成してもよい。例えば、前記タッチパネル２０１を指でタッチして、所定の方向（例えば、下方向）に所定の距離だけ、速度を付けずに動かして、そのまま離す操作（ドラッグ操作）を検知するよう構成してもよい。この場合は、前記操作検知手段４０２が、前記ドラッグ操作に対応する所定の距離を前記画面表示手段４０１に通知し、当該通知を受けた画面表示手段４０１が、当該所定距離に対応する移動量で前記画像を移動表示させることになる。
【００９６】
又、本発明の実施形態に係る操作部１０２では、複合機１００のファクシミリ送受信機能により蓄積された画像データのリスト画像（リスト項目）に関して採用したが、前記フリック操作によりスクロール表示させる所定の画像であれば、どのような画像であっても採用することが出来る。例えば、前記コピー機能、スキャン機能、ファクシミリ送受信機能、プリント機能等に用いられる画像データのプレビュー画像に関して採用してもよいし、他の画像、例えば、設定条件入力項目の画像等に採用しても構わない。更に、本発明の実施形態では、操作部１０２を複合機１００に適用した場合について説明したが、タッチパネル２０１を有する操作部１０２（操作装置）を備えた各種画像形成装置、各種画像処理装置、各種画像加工装置、各種画像表示装置等に適用しても、同一の作用効果を奏する。
【００９７】
又、本発明の実施形態では、操作部１０２が各手段を備えるよう構成したが、当該各手段を実現するプログラムを記憶媒体に記憶させ、当該記憶媒体を提供するよう構成しても構わない。当該構成では、前記プログラムを操作部１０２或いは複合機１００に読み出させ、その操作部１０２或いは複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００９８】
以上のように、本発明に係る操作装置及び操作方法は、複合機はもちろん、複写機、プリンタ等に有用であり、フリック操作により、ユーザの所望する画像を容易に表示させることが可能な操作装置及び操作方法として有効である。
【符号の説明】
【００９９】
１００  複合機
１０２  操作部
４０１  画面表示手段
４０２  操作検知手段
４０３  リスト画像記憶手段
４０４  マーキング判定手段
４０５  マーキング記憶手段
４０６  スクロール表示手段
４０７  マーキング付与手段
４０８  画像データ記憶手段
【図１】
2013114338.tif 000003
【図２】
2013114338.tif 000004
【図３】
2013114338.tif 000005
【図４】
2013114338.tif 000006
【図５】
2013114338.tif 000007
【図６】
2013114338.tif 000008
【図７】
2013114338.tif 000009
【図８】
2013114338.tif 000010
【図９】
2013114338.tif 000011